(57)【要約】【課題】網を畳むとき絡み付きにくくする。【解決手段】開口端縁側より左右に分割できるように設けられた係着手段５０を有する紡錘状の網１０Ｂと、この網の開口端縁側に差し込まれる枠片２０と、この枠片の一端に設けられた柄への取り付け部材３０と、この取り付け部材の一部に設けられた枠片の他端を固定する固定部４２とで構成される。玉網１０の不使用時は係着手段によって網をその開口端縁側より左右に分割し、その状態で、枠片の他端を固定部から外す。枠片を直線状にしてから枠片に網を巻き付ける。網を２分することで枠片に対する網の絡み付きを防止できるから、網を簡単に枠片に巻き付けられ、そして解くことができる。【選択図】  図１１
2010259372.tif 000002
【特許請求の範囲】
【請求項１】
その開口端縁側より左右に分割できるように設けられた係着手段を有する紡錘状の網と、
この網の開口端縁側に差し込まれる棒状の枠片と、
この枠片の一端に設けられた柄への取り付け部材と、
この取り付け部材の一部に設けられた上記枠片の他端を固定する固定部とで構成され、
玉網の不使用時は上記係着手段によって上記網を左右に分割した状態で、上記枠片の他端を上記固定部から外して上記枠片に巻き付けるようにした
ことを特徴とする折り畳み式玉網。
【請求項２】
上記係着手段は、線ファスナーであって、上記網の開口端縁よりその底部まで設けられた
ことを特徴とする請求項１記載の折り畳み式玉網。
【請求項３】
上記枠片は、単片か、伸縮可能な２本の枠片で構成された
ことを特徴とする請求項２記載の折り畳み式玉網。
【請求項４】
上記枠片は、開口円となるような柔軟性を有する部材である
ことを特徴とする請求項３記載の折り畳み式玉網。
【発明の詳細な説明】
【技術分野】
【０００１】
この発明は、折り畳み式玉網に関する。詳しくは、玉網を使用しないときは、網自体を柄（棹）から外し、網の開口端縁側に差し込まれた枠片の一端を枠片固定部から取り外すと共に、網に設けられた係着手段によって網を左右に分割して枠片に巻き付けるようにすることで、携帯性を向上させると共に、網の絡みつきを防止したものである。
【背景技術】
【０００２】
渓流釣りや海釣りなどでは、釣った魚を捕獲するため玉網が使用される。玉網１０は、図２２に示すように比較的長目の柄１０Ａと、柄の先端に取り付けられた網１０Ｂからなる。網１０Ｂは、３０ｃｍ径から６０ｃｍ径程度まで目的に合った大きさのものが使用される。
【０００３】
玉網１０は網１０Ｂが付いたままで、目的の釣り場まで持参するのが普通である。しかし、渓流釣りなどでは、目的の釣り場に辿り着くまでには急斜面を上り下りしなければならない場合が多く、足場の悪い地形を辿ることになる。そのため、玉網１０が回りの木々の小枝に引っ掛かったりして、玉網１０を落としたり、網１０Ｂが破損したりする事故を起こし易い。足場の悪い海釣りでも条件は同じである。
【０００４】
そこで、先人達は携帯性を考慮した玉網を開発した（例えば、特許文献１〜３）。
【０００５】
特許文献１は、柄から網を取り外せるようにすると共に、網の開口端縁に差し込まれた棒状の枠片（縁）を複数個所で折り畳めるように工夫したものである。こうすることで、枠片の開口部が棒状体となるため、外形が小型化し、持ち運びが楽になると共に、網が木々の小枝に引っ掛かりにくくなる。
【０００６】
特許文献２も、特許文献１と同様なコンセプトの元に開発されたもので、この場合には、柄の内腔に、網とその枠片全体を押し込んでしまうように工夫されている。さらに、特許文献３は、一対の枠片と取付駒を設け、折り畳むときは取付駒を緩め、枠片を１８０°柄側に回動させることで、網を折り畳めるようにしたものである。
【先行技術文献】
【特許文献】
【０００７】
【特許文献１】特開平８−５６５３１号公報
【特許文献２】特開２００８−２５４１６６号公報
【特許文献３】特開２００７−３１９０１１号公報
【発明の概要】
【発明が解決しようとする課題】
【０００８】
ところで、特許文献１によれば、網を開口させている枠片を折り畳むようにしてあるので、全体がスリムとなって携帯性が改善されるが、枠片を折り畳むとき網自体も枠片に巻き付ける必要がある。逆に、玉網を組み立てるときは折り畳まれた枠片を順次開口させながら枠片に巻き付けられた網を外さなければならない。
【０００９】
枠片の折り畳み順序や開口順序を間違ったりすると、枠片を破損するおそれがある。さらに網を枠片に巻き付けたり、解いたりするときに、網が枠片に絡まり易く、一旦網が絡まってしまうと、枠片を元の形に復元して玉網として使用するまでに時間が掛かってしまうおそれがある。特に、帰り支度を急いでいるときに、枠片に網を絡みつけてしまうことが多い。
【００１０】
特許文献２によれば、網を柄の内腔に収納でき、携帯性が向上する反面、網と枠片のそれぞれを柄の内腔に収納しなければならないので、柄自体を相当太くしないと全体を完全に収納できない。そのため、玉網としての操作性が悪く、釣り場でのフットワークを犠牲にしなければならない。加えて、柄の内部には枠片と網の双方を引き込むための構造体を収納したり、枠片状態を開放自在に構成する構造を取り入れる必要があるため、高価にならざるを得ない。
【００１１】
柄内に網を収納するとき、網が枠片に絡まり付くと、柄から枠片と網を押し出すとき、枠片が完全に元の状態まで開口できなくなり、この場合には最悪網を破損するおそれがある。
【００１２】
そこで、この発明はこのような従来の課題を解決したものであって、枠片を柄側に折り畳めるようにすると共に、網自体を２分割できるようにすることで、網の絡み付きを防止できるようにしたものである。
【課題を解決するための手段】
【００１３】
上述した課題を解決するためこの発明に係る玉網は、請求項１に記載したように、開口端縁側より左右に分割できるように設けられた係着手段を有する紡錘状の網と、この網の開口端縁側に差し込まれる棒状の枠片と、この枠片の一端に設けられた柄への取り付け部材と、この取り付け部材の一部に設けられた枠片の他端を固定する固定部とで構成され、玉網の不使用時は係着手段によって網を左右に分割した状態で、枠片の他端を固定部から外して枠片に巻き付けるようにしたことを特徴とする。
【００１４】
この発明では、網と柄で構成される玉網にあって、網を枠片に折り畳めるように構成する。網は紡錘状をなし、その開口端縁には開口円となるように枠片が取り付けられている。枠片は単片か、２本の枠片で構成され、その一端には取り付け部材が固定されている。取り付け部材は柄の先端部に対して回動自在に取り付けられる。
【００１５】
枠片の他端は、取り付け部材に設けられた固定部に対して挿着自在となっている。網にはその開口端縁から底部中央に至るような係着手段が設けられている。係着手段としては線ファスナーが利用される。
【００１６】
係着手段を使用すれば、網を左右に分割できる。その状態で枠片の他端を固定部から外すと、枠片は多少湾曲しているがほぼ直線状になる。網を柄から外し、網を枠片に巻き付ける。
【００１７】
このとき、網は左右に分かれているので、紡錘状の網は、あたかも２枚の布片が網の底部中央で繋がった形となっているから、枠片に対して簡単にしかも枠片に絡み付くことなく巻き付けることができる。そのため、枠片から網を解くときも、これらに絡み付くことなく簡単に解くことができる。結果として、玉網の折り畳みおよび復元作業が簡単になる。
【発明の効果】
【００１８】
この発明では、網に係着手段を設けて、これを２分割した状態で折り畳むようにしたものであるから、網が枠片に絡み付くことなく巻き付けることが可能になり、結果として網を簡単に解くことができる。そのため、玉網の折り畳みおよび復元作業をスムーズに行うことができる。
【図面の簡単な説明】
【００１９】
【図１】この発明に係る玉網の一例を示す要部の平面図である。
【図２】取り付け部材の拡大正面図である。
【図３】その背面図である。
【図４】その側面図である。
【図５】柄の先端部に設けられた係止部材の一例を示す側面図である。
【図６】その背面図である。
【図７】網を柄に取り付けるときの状態を示す説明図である。
【図８】網を柄に取り付けたときの状態を説明図である。
【図９】枠片の他端を外し、網の係着手段を開放したときの状態を示す図である。
【図１０】他端を外した枠片に網を巻き付けた状態を示す図である。
【図１１】柄と網を袋に閉まった状態を示す図である。
【図１２】この発明に係る玉網の他の例を示す図１と同様な平面図である。
【図１３】枠片に設けられた取り付け部材と、枠片係止部材との関係を示す図である。
【図１４】その要部拡大図である。
【図１５】取り付け部材に枠片係止部材を固定した状態を示す図である。
【図１６】２本の枠片の連結部分の拡大図である。
【図１７】スライド片のＩ−Ｉ線上断面図である。
【図１８】取り付け部材と枠片係止部材との関係を示す側面図である。
【図１９】枠片係止部材の固定操作例を示す側面図である。
【図２０】枠片係止部材を固定した状態の側面図である。
【図２１】枠片を外した状態を示す図である。
【図２２】従来の玉網の一例を示す斜視図である。
【発明を実施するための形態】
【実施例１】
【００２０】
続いて、この発明に係る玉網の一例を図１以下を参照して説明する。  
図１に示すようにこの発明においても、玉網１０は柄１０Ａと、その先端部に取り付け固定される網１０Ｂとで構成される。柄１０Ａは単竿構成か若しくは継ぎ竿構成である。図１の例は、振り出し竿に適用した例を示す。柄１０Ａの先端部には連結手段６０が設けられているが、詳細は後述する。
【００２１】
網１０Ｂは周知の網が使用されている。二段若しくは三段絞り網であってもよいが、図の例は紡錘状をなすストレートな網である。この網１０Ｂはその開口端縁２１側に枠片２０を有する。枠片２０は、その開口面が所定の開口円となるように規制するためのもので、棒状躯体として機能する。したがって開口端縁２１側は、この枠片２０が差し込まれる枠片差し込み用の縫合部２３（図２参照）を有する。
【００２２】
枠片２０は棒状で、柔軟性を有する素材が使用される。素材としては、繊維強化プラスチック（カーボン繊維）や、形状記憶した金属棒、竹材などが考えられる。竹材を使用する場合には、これを薄く裁断した扁平な短冊片として加工された孟宗竹が使用される。
【００２３】
この例では強度を増すため、２本の短冊片によって枠片２０が構成される。短冊片の幅は５〜１０ｍｍで、厚さが０．５〜１．０ｍｍ程度に裁断されたものが使用されている。玉網１０が直径３０ｃｍであるときは、その長さはほぼ９５ｃｍとなる。
【００２４】
枠片２０の一端２０ａには取り付け部材３０が設けられ、この取り付け部材３０に設けられた固定部（この例では差し込み口として構成される）４２に枠片２０の他端２０ｂを差し込むことによって、枠片２０は円状に開口し、網１０Ｂの開口面は開口円となる。なお、枠片２０のうち内側の枠片は外側の枠片よりも僅かに短いものが使用されている（図９参照）。
【００２５】
取り付け部材３０は柄１０Ａに対して連結自在となされ、持ち運ぶときは網１０Ｂを柄１０Ａから外せるように構成されているが、その詳細は後述する。
【００２６】
網１０Ｂには、その開口端縁２１側より底部２２の中央部に亘って係着手段５０が設けられ、係着手段５０を開放することで、網１０Ｂを左右に二分できるようになっている。
【００２７】
この例では係着手段５０としてプラスチック製の線ファスナーを使用した場合であって、図２に示すように線ファスナーの場合には、２本の務歯（エレメント）５２とスライダー５３とで係着手段５０が構成される。務歯５２の一端は縫合部２３に固定され、他端は底部２２の中央部まで延長される（図１参照）。
【００２８】
取り付け部材３０について図２〜図４を参照して説明する。この取り付け部材３０は扁平で短冊状をなす金属製の本体３０ａを有し、本体３０ａのほぼ中央部には本体３０ａを囲繞するような金属板３６が巻き付けられ、図４に示すように本体３０ａの短辺側であって、枠片２０の頂面に金属板３６の開放端が位置する。そしてこの開放端が鈎状に折り曲げられて係止片３７となされる。したがって、係止片３７は網１０Ｂの内側を向くことになる（図１参照）。
【００２９】
本体３０ａの一方の長辺側には図２に示すように軸受け部３５として機能する板体３２がビス３３によって金属板３６を介して本体３０ａに固定される。軸受け部３５には係止用軸３１が回動自在に固定される。係止用軸３１は柄１０Ａの先端部に設けられた連結手段６０に係止される。係止用軸３１を連結手段６０側に固定することで、取り付け部材３０が柄１０Ａに固定され、網１０Ｂが柄１０Ａと一体化される。したがってこの例では、係止用軸３１は本体３０ａの短辺と並行するように設けられている。
【００３０】
本体３０ａは図４のように内部が空孔となっている扁平な角状体であって、その一端図３では左端縁４０に枠片２０の一端２０ａが挿着された状態で固定される。そして枠片２０の他端２０ｂは取り外しが自在となされる。そのため、本体３０ａの右端縁は枠片２０の固定部４２として機能する。この例では、枠片２０の他端２０ｂをこの固定部４２に差し込むことで固定するため、固定部４２は他端２０ｂの差し込み口として機能する。固定部４２に図２のように他端２０ｂを差し込むことによって直線状の枠片２０が円状に成形される（図１参照）。これで網１０Ｂの開口面を円状の開口円とすることができる。
【００３１】
網１０Ｂを柄１０Ａに連結する連結手段について図５および図６を参照して説明する。  柄１０Ａは単竿構成でも、継ぎ竿構成でもよい。図５の例は後者の例を示し、３段構成の柄１１ａ〜１１ｃを図示している。先端柄１１ｃには連結手段６０を有する。
【００３２】
連結手段６０は、逆紡錘状の本体６１を有し、その一端は先端柄１１ｃに固定される。本体６１の先端部はＵ字状の切り込み部６２となされ、さらにこの切り込み部６２によって形成される左右一対の腕部６３にはそれぞれ図６に示すような半円状をなす連結凹部６４が形成される。連結凹部６４の円弧は上述した軸３１の直径よりも僅かに大きく、その深さは直径の２倍程度となされる。軸３１を確実に連結固定するためである。
【００３３】
本体６１の上端面には図５に示すように係止具７０が取り付け固定される。係止具７０は回動自在な操作片７１と、操作片７１の回動支点側に連結された係止腕部７２とで構成される。係止腕部７２はほぼ四角形の開口部を有する無端状の金属棒である。操作片７１の回動軸７１ａには図６に示すように操作片７１を反時計方向に付勢するための弦巻バネ７５が巻き付けられている。
【００３４】
この連結手段６０を使用して網１０Ｂを柄１０Ａに連結固定する操作例を図７および図８を参照して説明する。
【００３５】
図７に示すように、一対の連結凹部６４と軸３１が向き合うように柄１０Ａと網１０Ｂを対峙させ、その状態で軸３１を連結凹部６４内に差し込む。その後図８に示すように係止腕部７２を係止片３７に係止した状態で操作片７１を時計方向に回動させることで、弦巻バネ７５の作用で、取り付け部材３０したがって網１０Ｂ自体を連結手段６０を介して柄１０Ａに連結固定できる。
【００３６】
なお、この連結作業は釣り場に着いてから行うのが普通である。また枠片２０の他端２０ｂは固定部４２に差し込んでから図７以下の作業を行ってもよければ、網１０Ｂを柄１０Ａに連結してから差し込む作業を行ってもよい。網１０Ｂを柄１０Ａに連結することで、通常の玉網１０として使用できる（図２１参照）。
【００３７】
玉網１０を片付けるときは、まず柄１０Ａから網１０Ｂを外し、次に枠片２０の他端２０ｂを固定部（差し込み口）４２から外す。他端２０ｂが自遊端となると、枠片２０自体がもつ復元力（偏倚力）によって枠片２０は図９のように若干は湾曲しているがほぼ直線状に伸びる。
【００３８】
次いで、図９のように網１０Ｂを枠片２０の中央部付近に寄せてからスライダー５３を開口端縁２１側より底部２２側までスライドさせる。そうすると、エレメント５２ａ、５２ｂ同士の連結が開放されて左右に分かれるので、網１０Ｂが左右に分離・分割される。その後、エレメント５２ａ、５２ｂを引き離した状態で枠片２０の回りに網１０Ｂを巻き付ける。巻き付け後の状態を図１０に示す。枠片２０に網１０Ｂを巻き付けた後は柄１０Ａを畳んで、袋８０に入れることで、柄１０Ａの長さに折り畳まれた玉網１０となる。その状態を図１１に示す。
【００３９】
玉網１０を使用するときは、上述したのとは逆の手順で組み立てる。このとき、網１０Ｂ自体は枠片２０に巻き付けられているが、網１０Ｂは左右に分離された状態で枠片２０に整然と巻き付けられているので、簡単に網１０Ｂを枠片２０から解くことができる。
【００４０】
つまり、網１０Ｂを左右に分離することで、あたかも一枚の布と同じように扱うことができるようになるから網目があっても巻き付け易く、しかも網１０Ｂが枠片２０に絡み付いてなかなか解けなかったりするおそれはない。
【実施例２】
【００４１】
玉網１０は用途によって網の径が異なる。大きいものでは網径が６０ｃｍ程度のものも存在する。このように網径の大きな玉網にもこの発明は適用できる。
【００４２】
図１２は網径の大きな玉網１０に適用した場合である。この例では、枠片２０を一対の枠片で構成し、一方を伸縮自在とすることで、網を使用するときは一方の枠片を延ばしながら開口円をつくるようにする。一対の枠片を使用したのは、網径が大きいため、所定の強度を保ちながら持ち運び時のコンパクト化を実現するためである。
【００４３】
そのため、図１２のように枠片２０は一対の枠片１００と１０１とで構成され、第１の枠片１００の一端１００ａは取り付け部材１１０側に固定され、他端１００ｂは自遊端となされる。これに対して第２の枠片１０１は、伸縮自在なスライド枠片として構成され、左右両端１０１ａ、１０１ｂはそれぞれ自遊端となる。このように一対の枠片１００，１０１を連結することで、網径が大きくなってもそれなりの強度を確保できる。
【００４４】
取り付け部材１１０は本体１１１を有し、その一端部には柄１０Ａと連結するため、この例では雄ネジ１１２が植立され、他方、柄１０Ａの先端柄１１ｃに設けられた連結手段１３０には対応する雌ねじ１３２が埋め込まれている。
【００４５】
取り付け部材１１０の先端部には帯状の凹部が設けられ、枠片２０のうち第１の枠片１００の一端部を固定し、第２の枠片１０１の自遊端１０１ｂを差し込める形状となされた扁平管からなる固定部１４０がこの凹部内に入り込むように設けられる（図１４，１５参照）。
【００４６】
固定部１４０は図１３のように一端側この例では左端部側を中心に回動できるように回動式に構成されている。そのため、本体１１１には固定部１４０と枠片２０に対する逃げ用の凹部１１５が設けられている（図１４参照）。図１３のように回動式としたのは枠片２０をしまい易くするためである。
【００４７】
枠片２０は上述したように柔軟性を有する部材が使用される。この例では、上述と同じく薄肉状に加工された所定幅の竹材が使用される。
【００４８】
枠片２０の構成を図１６以下を参照して説明する。まず、図１６に示すように固定部１４０に一端１００ａが固定されている第１の枠片１００には、その自遊端１００ｂ近傍に当接固定片１２０が固定される。一方、第２の枠片１０１にはその一端１０１ａ側にスライド片１２２が固定されている。当接固定片１２０内を第２の枠片１０１が貫通し、スライド片１２２内を第１の枠片１００が貫通した状態となるように両者が取り付けられる。
【００４９】
当接固定片１２０もスライド片１２２も同じ構成であって、図１７に示すようにそれぞれの枠片１００，１０１の周囲を囲繞した扁平な短管（金属短管）が使用される。当接固定片１２０には図１７のように、スライド片１２２の内側頂面部内に入り込むような舌片１２０ａが一体形成される。
【００５０】
同様に、スライド片１２２にも図１６に示すように当接固定片１２０の内側底面部内に入り込むような舌片１２２ａが一体形成される。これら舌片１２０ａ、１２２ａは枠片補強用と機能するものである。
【００５１】
網１０Ｂを組み立てるときには、第２の枠片１０１を第１の枠片１００に沿って延ばし、当接固定片１２０にスライド片１２２が当接するまで、第２の枠片１０１を伸張させる。その状態で第２の枠片１０１の他端１０１ｂを固定部１４０に差し込むことで、枠片２０は円状に開口する。詳細は後述する。
【００５２】
このように、図１６のように当接固定片１２０にスライド片１２２が当接するまで、第２の枠片１０１を伸張させると、舌片１２０ａはスライド片１２２の内面に、他方の舌片１２２ａは当接固定片１２０の内面にそれぞれ入り込む。舌片１２０ａ、１２２ａを互いに入り込ませることで、枠片１００，１０１同士の機械的強度を補強し合うので、枠片２０全体の強度が強くなる。
【００５３】
本体１１１の左右両側面には固定部１４０に対する固定手段１５０，１６０が設けられる。図１８を参照して説明する。本体１１１の一方の側面に第１の固定手段１５０が固定される。第１の固定手段１５０は実施例１で説明した係止手段と同じ構成であって、操作片１５２と係止腕部１５４からなる（図１５参照）。
【００５４】
操作片１５２のロック位置で操作片１５２を固定するために、操作片１５２の回動軸には時計方向に付勢する弦巻バネ（図示はしない）が巻き付けられている。
【００５５】
本体１１１の他方の側面に第２の固定手段１６０が設けられる。この第２の固定手段１６０は矢尻状に加工されたループ状の係止片１６２を有し（図１５参照）、その回動軸を中心にして本体１１１の先端部側まで倒置することができる。
【００５６】
固定部１４０は次のようにして本体１１１に固定される。図１８に示すように固定部１４０は本体１１１の先端部に設けられた凹部内に、その上面が僅かに先端部から突出した状態で収まっている。図１９のように操作片１５２を本体１１１の先端部側まで持ち上げると共に、係止片１６２を固定部１４０を跨ぐように回動させる。そして、係止腕部１５４で係止片１６２を係止した状態で操作片１５２を元の位置まで回動させることで、図２０のように固定部１４０を本体１１１に固定できる。玉網１０は固定部１４０を本体１１１に固定した状態で使用される。
【００５７】
枠片２０には上述した網１０Ｂが取り付けられている。網１０Ｂにはその開口端縁側から底部中央まで貫くように上述したと同じ係着手段５０が縫合されている。
【００５８】
したがって玉網１０を使用するときは、第２の枠片１０１を延ばしてその自遊端１０１ｂを固定部１４０に差し込んで固定すると共に、固定手段１５０，１６０を使用して固定部１４０を本体１１１に固定することで柄１０Ａと網１０Ｂとが一体化する。これで玉網として使用できる。
【００５９】
また、玉網１０を畳むときは、上述とは逆の作業を行う。そして、第２の枠片１０１をスライドさせながら第１の枠片１００側に収める。
【００６０】
枠片２０は上述したように柔軟性を有する部材が使用されているため、第２の枠片１０１を固定部１４０から外した直後は半円形状となっているが、次第に直線状に延びる。係着手段５０を解放し網１０Ｂを左右に分離した状態で、枠片２０の周りに巻き付けると、枠片２０に絡み付くことなく、図２１のようにコンパクトに折り畳むことができるので、簡単に袋に収納できる。
【産業上の利用可能性】
【００６１】
この発明は、渓流釣りや海釣りなどのときに用いられる玉網に適用できる。
【符号の説明】
【００６２】
１０・・・玉網
１０Ａ・・・柄
１０Ｂ・・・網
２０、１００，１０１・・・枠片
２１・・・開口端縁
２２・・・底部
３０・・・取り付け部材
５０・・・係着手段
６０・・・連結手段
１４０・・・固定部
１２０・・・当接固定片
１２２・・・スライド片
１５０，１６０・・・固定手段
【図１】
2010259372.tif 000003
【図２】
2010259372.tif 000004
【図３】
2010259372.tif 000005
【図４】
2010259372.tif 000006
【図５】
2010259372.tif 000007
【図６】
2010259372.tif 000008
【図７】
2010259372.tif 000009
【図８】
2010259372.tif 000010
【図９】
2010259372.tif 000011
【図１０】
2010259372.tif 000012
【図１１】
2010259372.tif 000013
【図１２】
2010259372.tif 000014
【図１３】
2010259372.tif 000015
【図１４】
2010259372.tif 000016
【図１５】
2010259372.tif 000017
【図１６】
2010259372.tif 000018
【図１７】
2010259372.tif 000019
【図１８】
2010259372.tif 000020
【図１９】
2010259372.tif 000021
【図２０】
2010259372.tif 000022
【図２１】
2010259372.tif 000023
【図２２】
2010259372.tif 000024